(57)【特許請求の範囲】
【請求項１】
表記情報に対応する読上げ情報が登録され、前記表記情報の検索に基づき、前記読上げ情報を出力する読上げ情報登録装置であって、
前記表記情報が登録される第１の登録領域と、
前記表記情報に対応する読上げ情報が登録されるとともに、登録された前記読上げ情報を表示することができない隠蔽領域である第２の登録領域と、
前記第１の登録領域に対する前記表記情報の登録に連動させて前記第２の登録領域に対する前記読上げ情報の登録を処理し、前記第１の登録領域から前記表記情報を削除すると、該表記情報の削除に連動させて前記第２の登録領域から前記表記情報に対応する前記読上げ情報の削除を処理する処理部と、
を備えることを特徴とする読上げ情報登録装置。
【請求項２】
請求項１記載の読上げ情報登録装置において、
前記第２の登録領域は、前記第１の登録領域における前記表記情報の登録又は前記表記情報の削除と無関係に前記読上げ情報の変更又は削除することができない隠蔽領域であることを特徴とする読上げ情報登録装置。
【請求項３】
請求項１記載の読上げ情報登録装置において、
読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とすることを特徴とする読上げ情報登録装置。
【請求項４】
表記情報に対応する読上げ情報が登録され、前記表記情報の検索に基づき、前記読上げ情報を出力する読上げ情報登録方法であって、
第１の登録領域に前記表記情報を登録させるステップと、
前記ステップに連動し、前記表記情報に対応する読上げ情報を、該読上げ情報を表示することができない隠蔽領域である第２の登録領域に登録させるステップと、
前記第１の登録領域から前記表記情報が削除されると、該表記情報の削除に連動して前記第２の登録領域から前記表記情報に対応する前記読上げ情報を削除するステップと、
を含むことを特徴とする読上げ情報登録方法。
【請求項５】
請求項４記載の読上げ情報登録方法において、
登録しようとする表記情報が読上げ情報登録の対象外とする表記情報であるか否かを判定するステップと、
読上げ情報登録の対象外とする表記情報である場合に、前記第２の登録領域に対する読上げ情報の登録を阻止し又は無効な登録とするステップと、
を含むことを特徴とする読上げ情報登録方法。
【請求項６】
表記情報に対応する読上げ情報が登録され、前記表記情報の検索に基づき、前記読上げ情報を出力する、コンピュータによって実行される読上げ情報登録プログラムであって、
第１の登録領域に前記表記情報を登録させるステップと、
前記ステップに連動し、前記表記情報に対応する読上げ情報を、該読上げ情報を表示することができない隠蔽領域である第２の登録領域に登録させるステップと、
前記第１の登録領域から前記表記情報が削除されると、該表記情報の削除に連動して前記第２の登録領域から前記表記情報に対応する前記読上げ情報を削除するステップと、
を含むことを特徴とする読上げ情報登録プログラム。
【請求項７】
請求項６記載の読上げ情報登録プログラムにおいて、
登録しようとする表記情報が読上げ情報登録の対象外とする表記情報であるか否かを判定するステップと、
読上げ情報登録の対象外とする表記情報である場合に、前記第２の登録領域に対する読上げ情報の登録を阻止し又は無効な登録とするステップと、
を含むことを特徴とする読上げ情報登録プログラム。
【請求項８】
表記情報に対応する読上げ情報が登録され、前記表記情報の検索に基づき、前記読上げ情報を出力する携帯端末装置であって、
前記表記情報が登録される第１の登録領域と、
前記表記情報に対応する読上げ情報が登録されるとともに、登録された前記読上げ情報を表示することができない隠蔽領域である第２の登録領域と、
前記第１の登録領域に対する前記表記情報の登録に連動させて前記第２の登録領域に対する前記読上げ情報の登録を処理し、前記第１の登録領域から前記表記情報を削除すると、該表記情報の削除に連動させて前記第２の登録領域から前記表記情報に対応する前記読上げ情報の削除を処理する処理部と、
を備えることを特徴とする携帯端末装置。
【請求項９】
請求項８記載の携帯端末装置において、
読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とすることを特徴とする携帯端末装置。
【発明の詳細な説明】
【技術分野】
【０００１】
本発明は、電子メール等で用いられる文字や文字列等の表記情報に対応する読上げ情報をメモリ辞書に登録し、その電子メールを音声で出力させる携帯電話機等の携帯端末装置に備えられる読上げ情報登録に関し、特に、表記情報と読上げ情報との登録を連動させた読上げ情報登録装置、その方法、そのプログラム及び携帯端末装置に関する。
【背景技術】
【０００２】
読上げ機能を備える例えば、携帯電話機では、通話相手先の名前登録や、電子メールで用いる単語を登録した場合、これらを読上げるには、読上げ辞書に同一の名前登録や単語登録をすることが行われている。
【０００３】
文字や文字列の表記情報の読上げに関し、特許文献１には、入力情報に基づいて生成された音声情報を読上げ辞書に自動的に登録し、その音声情報により文書の読上げを実現することが開示されている。また、特許文献２には、メモリに音声データ記憶エリアを設定して文字又は文字列に対応する音声データを記憶させ、電話帳データ検索入力に基づき、電話帳データの文字又は文字列に対応する音声データを音声データ記憶エリアから読み出し、音声を出力させることが開示されている。
【特許文献１】特開平１１−１６１２９６号公報
【特許文献２】特開２０００−２６１５３９公報
【発明の開示】
【発明が解決しようとする課題】
【０００４】
ところで、通話相手先の名前や単語の登録に関し、これら表記情報の登録と、読上げ情報の登録とを別々に行うことはその登録処理が面倒である。同時に読上げ辞書に登録したとしても、登録操作が同時であるというだけでは、ユーザの操作によっては、登録内容の整合性が損なわれる場合があり、記憶容量が限られている場合に、読上げ情報の登録を拡大させると、他の情報を登録するためのユーザ登録領域が圧迫される等の課題がある。
【０００５】
斯かる課題について、特許文献１、２にはその開示や示唆はなく、それを解決する構成や着想についての開示や示唆はない。
【０００６】
そこで、本発明の目的は、表記情報に対応する読上げ情報の登録に関し、表記情報と読上げ情報の登録又は削除の操作性を向上させることにある。
【０００７】
また、本発明の他の目的は、表記情報に対応する読上げ情報の登録に関し、表記情報と読上げ情報の整合性を高めることにある。
【課題を解決するための手段】
【０００８】
本発明は、表記情報に対応する読上げ情報を登録する読上げ情報登録装置に関し、通話相手先名等の電話帳情報、電子メール等に用いる単語、住所表記等の表記情報の登録（又は削除）の際、その読上げ情報の登録（又は削除）を連動させ、操作及び処理の一元化を実現している。また、読上げ情報の登録内容は、ユーザによる編集や削除等の処理を制限し、表記情報と読上げ情報とを一元的に管理する構成である。斯かる構成により、上記目的を達成している。
【０００９】
即ち、上記目的を達成するための本発明の第１の側面は、表記情報に対応する読上げ情報が登録され、前記表記情報の検索に基づき、前記読上げ情報を出力する読上げ情報登録装置であって、前記表記情報が登録される第１の登録領域と、前記表記情報に対応する読上げ情報が登録されるとともに、登録された前記読上げ情報を表示することができない隠蔽領域である第２の登録領域と、前記第１の登録領域に対する前記表記情報の登録に連動させて前記第２の登録領域に対する前記読上げ情報の登録を処理し、前記第１の登録領域から前記表記情報を削除すると、該表記情報の削除に連動させて前記第２の登録領域から前記表記情報に対応する前記読上げ情報の削除を処理する処理部とを備える構成である。ここで、表記情報は、通話相手先の名前、電子メールに用いられる単語等、表記される言語情報である。また、読上げ情報は、表記情報に対応する読み、名前に対する愛称、単語に対するユーザが設定する読み等の情報である。これらの登録に関し、表記情報の登録に対して読上げ情報を連動させて登録させれば、両者の処理が統合されて一元的となり、表記情報を登録すれば、読上げ情報が必然的に登録される関係を維持することができ、操作性と両者の整合性を維持することができ、上記目的が達成される。
【００１０】
上記読上げ情報登録装置において、好ましくは、前記第２の登録領域は、前記第１の登録領域における前記表記情報の登録又は前記表記情報の削除と無関係に前記読上げ情報の変更又は削除することができない隠蔽領域である構成としてもよい。斯かる構成とすれば、読上げ情報を表記情報と別個に処理することができないので、両者の整合性が高度に維持されることになる。斯かる構成によっても、上記目的が達成される。また、上記読上げ情報登録装置において、読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とする構成としてもよい。斯かる構成によっても、上記目的が達成される。
【００１１】
上記目的を達成するための本発明の第２の側面は、表記情報に対応する読上げ情報が登録され、前記表記情報の検索に基づき、前記読上げ情報を出力する読上げ情報登録方法であって、第１の登録領域に前記表記情報を登録させるステップと、前記ステップに連動し、前記表記情報に対応する読上げ情報を、該読上げ情報を表示することができない隠蔽領域である第２の登録領域に登録させるステップと、前記第１の登録領域から前記表記情報が削除されると、該表記情報の削除に連動して前記第２の登録領域から前記表記情報に対応する前記読上げ情報が削除されるステップとを含む構成である。斯かる構成によっても、上記目的が達成される。また、上記読上げ情報登録方法において、登録しようとする表記情報が読上げ情報登録の対象外とする表記情報であるか否かを判定するステップと、読上げ情報登録の対象外とする表記情報である場合に、前記第２の登録領域に対する読上げ情報の登録を阻止し又は無効な登録とするステップとを含む構成としてもよい。斯かる構成によっても、上記目的が達成される。
【００１２】
上記目的を達成するための本発明の第３の側面は、表記情報に対応する読上げ情報が登録され、前記表記情報の検索に基づき、前記読上げ情報を出力する、コンピュータによって実行される読上げ情報登録プログラムであって、第１の登録領域に前記表記情報を登録させるステップと、前記ステップに連動し、前記表記情報に対応する読上げ情報を、該読上げ情報を表示することができない隠蔽領域である第２の登録領域に登録させるステップと、前記第１の登録領域から前記表記情報が削除されると、該表記情報の削除に連動して前記第２の登録領域から前記表記情報に対応する前記読上げ情報が削除されるステップとを含む構成である。斯かる構成によっても、上記目的が達成される。また、上記読上げ情報登録プログラムにおいて、登録しようとする表記情報が読上げ情報登録の対象外とする表記情報であるか否かを判定するステップと、読上げ情報登録の対象外とする表記情報である場合に、前記第２の登録領域に対する読上げ情報の登録を阻止し又は無効な登録とするステップとを含む構成としてもよい。斯かる構成によっても、上記目的が達成される。
【００１３】
上記目的を達成するための本発明の第４の側面は、表記情報に対応する読上げ情報が登録され、前記表記情報の検索に基づき、前記読上げ情報を出力する携帯端末装置であって、前記表記情報が登録される第１の登録領域と、前記表記情報に対応する読上げ情報が登録されるとともに、登録された前記読上げ情報を表示することができない隠蔽領域である第２の登録領域と、前記第１の登録領域に対する前記表記情報の登録に連動させて前記第２の登録領域に対する前記読上げ情報の登録を処理し、前記第１の登録領域から前記表記情報を削除すると、該表記情報の削除に連動させて前記第２の登録領域から前記表記情報に対応する前記読上げ情報の削除を処理する処理部とを備える構成である。斯かる構成によっても、上記目的が達成される。また、上記携帯端末装置において、読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とする構成としてもよい。斯かる構成によっても、上記目的が達成される。
【発明の効果】
【００１４】
本発明によれば、次のような効果が得られる。
【００１５】
(1) 表記情報の登録により、読上げ情報の登録を同時に行えるので、操作性を向上させることができる。
【００１６】
(2) 表記情報を登録すれば、読上げ情報が登録されるので、両者に整合性を維持することができる。
【００１７】
(3) 読上げ情報を単独で処理することができないので、表記情報と読上げ情報との整合性が損なわれることがなく、読上げ情報の勝手な登録による登録領域の肥大化や他の情報の登録を圧迫することがない。
【発明を実施するための最良の形態】
【００１８】
〔第１の実施の形態〕
【００１９】
本発明の第１の実施の形態について、図１を参照して説明する。図１は、第１の実施の形態に係る携帯電話機を示すブロック図である。
【００２０】
この携帯電話機２は、本発明の読上げ情報登録装置又は携帯端末装置の一例であっで、文字や文字列等の表記情報と、その音声変換情報である読上げ情報とを登録し、表記情報の検索により、その読上げ情報を音声出力に再生するシステムである。
【００２１】
そこで、この携帯電話機２では、記憶部４、プロセッサ６、ＲＯＭ（Read-Only Memory）８、ＲＡＭ（Random-Access Memory）９、表示部１０、操作入力部１２、音声処理部１４等が備えられている。記憶部４は、表記情報及びその読上げ情報を格納する記憶部であって、ＲＯＭやＲＡＭ等で構成され、この場合、電話帳登録テーブル１６、登録辞書テーブル１８、読上げ辞書２０を備えている。
【００２２】
電話帳登録テーブル１６又は登録辞書テーブル１８は表記情報が登録される第１の登録領域であって、電話帳登録テーブル１６には通話相手先の名前、電話番号、電子メールアドレス等、文字や文字列等の表記情報が登録され、登録辞書テーブル１８には文字や文字列等の単語情報が登録される。
【００２３】
読上げ辞書２０は読上げ情報が登録される読上げ情報登録領域であって、読上げ辞書２０にはユーザ登録領域２０１と、第１の登録領域である電話帳登録テーブル１６又は登録辞書テーブル１８に対応して第２の登録領域を構成する隠蔽登録領域２０２とが設定されている。隠蔽登録領域２０２には、電話帳登録テーブル１６と同数の登録テーブルが設定され、この場合、通話相手先に対応した読上げ情報が登録される。また、隠蔽登録領域２０２には、登録辞書テーブル１８に対応する登録領域が設定され、登録単語に対応した読上げ情報が登録される。
【００２４】
そして、この隠蔽登録領域２０２は、電話帳登録テーブル１６又は登録辞書テーブル１８と登録内容がリンクしており、電話帳登録テーブル１６又は登録辞書テーブル１８の検索に基づき、隠蔽登録領域２０２から読上げ情報が読み出されるとともに、その登録や削除は電話帳登録テーブル１６又は登録辞書テーブル１８に依存し、隠蔽登録領域２０２を電話帳登録テーブル１６又は登録辞書テーブル１８と無関係に独自に表示、変更又は削除をすることはできない。これに対し、ユーザ登録領域２０１では、ユーザが選択する所望の読上げ情報が格納され、その登録、削除は任意に行うことができる。
【００２５】
プロセッサ６は、ＣＰＵ（Central Processing Unit ）等で構成され、ＲＯＭ８に格納されたプログラムの実行により、記憶部４に対する登録や削除又は情報の検索、表示部１０の表示制御、操作入力部１２からの情報入力制御、音声処理部１４の音声再生制御等の各種の制御を実行する処理部である。ＲＯＭ８には、電話帳登録処理プログラム２２１、単語登録処理プログラム２２２、読上げ辞書登録処理プログラム２２３、その他のプログラム２２４等が格納されている。ＲＡＭ９は、ワークエリアとして用いられる。
【００２６】
表示部１０はプロセッサ６によって制御され、例えば、ＬＣＤ（Liquid Crystal Display）で構成され、電話帳登録テーブル１６から読み出された通話相手先、電子メールの宛先や本文等が表示される。操作入力部１２はキーボードを備えてキーボード文字入力等を行う。この操作入力部１２は、ホストコンピュータ等との接続部を備えてもよく、キーボードに代え、ホストコンピュータから登録すべき入力情報を取り込むようにしてもよい。
【００２７】
そして、音声処理部１４は、スピーカ２４を備えて、プロセッサ６から出力される読上げ情報出力を音声信号に変換し、スピーカ２４はその音声信号を音声に変換して出力させる。
【００２８】
斯かる構成において、電話帳登録処理プログラム２２１、単語登録処理プログラム２２２、読上げ辞書登録処理プログラム２２３の起動により、操作入力部１２から登録すべき通話相手先の名前や電子メール等で用いる単語、地名等を入力することにより、電話帳登録テーブル１６又は登録辞書テーブル１８に登録される表記情報に対応する読上げ情報を読上げ辞書２０の隠蔽登録領域２０２に登録することができる。
【００２９】
ここで、通話相手先の名前を「青木」とすれば、通常の読みであれば、「アオキ」とされるところ、ユーザが指定した読上げ情報として例えば、「ミッチャン」を隠蔽登録領域２０２に登録することができる。
【００３０】
また、同様に、登録辞書テーブル１８に登録される名前を例えば、「青木」とすれば、通常の読みであれば、「アオキ」とされるところ、ユーザが指定した読上げ情報として例えば、「ミッチャン」と登録される。また、地名として例えば、「小山」について、通常の読みを「コヤマ」とすれば、その読みを「オヤマ」と登録することができる。
【００３１】
次に、電話帳登録について、図２を参照して説明する。図２は、電話帳登録の処理手順を示すフローチャートである。
【００３２】
この電話帳登録の処理は、登録されている登録情報の変更処理の場合も含まれる。ここで、読上げ辞書２０の登録領域について、ユーザ登録領域２０１を例えば、０〜９９（＝ｎ）とすれば、隠蔽登録領域２０２は例えば、１００〜（＝ｎ＋１００）である。
【００３３】
この電話帳登録において、電話帳登録処理プログラム２２１が起動されると、読上げ辞書２０の登録処理プログラム２２３が起動される。
【００３４】
そこで、初期メニューから電話帳登録を選択し、電話帳登録処理プログラム２２１を起動させると、表示部１０に電話帳登録のダイアログ画面が表示される。このダイアログ画面の問合せメッセージに従い、名前入力欄に名前の入力（ステップＳ１）、フリガナ入力欄にフリガナの入力（ステップＳ２）、電話番号入力欄に電話番号の入力（ステップＳ３）、メールアドレス入力欄にメールアドレスの入力（ステップＳ４）、グループ登録入力欄にグループ登録（ステップＳ５）、メモリ番号入力欄に数字によりメモリ番号入力（ステップＳ６）、名前、フリガナの読上げ情報の登録（ステップＳ７）を行う。
【００３５】
ステップＳ５において、グループ登録は、グループ登録をするか否かの問合せメッセージに従って行う。ステップＳ７において、名前、フリガナの読上げ情報の登録は、読上げ出力される音の登録であって、その名前、フリガナに対する称呼を読上げ辞書２０の隠蔽登録領域２０２に登録する。ステップＳ６において、既述の通り、メモリ番号入力の領域は例えば、「ｎ」であり、ステップＳ７において、隠蔽登録領域２０２は例えば、「ｎ＋１００」である。
【００３６】
このようなステップＳ１〜Ｓ７の処理は、電話帳登録情報を変更する場合も同様である。
【００３７】
次に、単語登録について、図３を参照して説明する。図３は、単語登録及び読上げ辞書登録の処理手順を示すフローチャートである。
【００３８】
この単語登録において、単語登録処理プログラム２２２を起動すると、読上げ辞書２０の登録処理プログラム２２３が起動される場合の処理である。
【００３９】
この場合、ダイアログ画面から単語の入力（ステップＳ１１）、その単語の読み仮名による入力（ステップＳ１２）、それに対応する単語の選択に基づき、登録辞書テーブル１８に登録され（ステップＳ１３）、これに連動して読上げ辞書２０に読み仮名に対応する読上げ情報が登録される（ステップＳ１４）。
【００４０】
この場合、読上げ辞書２０の登録処理プログラム２２３を起動させない場合には、図４に示すように、ダイアログ画面から単語の入力（ステップＳ２１）、その単語の読み仮名による入力（ステップＳ２２）、それに対応する単語の選択に基づき、フリガナ辞書のユーザ登録領域２０１に登録（ステップＳ２３）することも可能である。この場合、ステップＳ１１、Ｓ１２の各入力情報は、ユーザ登録領域２０１の既述の０〜９９（＝ｎ）の領域に登録される。
【００４１】
次に、電話帳の登録情報の削除について、図５を参照して説明する。図５は、電話帳の登録情報の削除の処理手順を示すフローチャートである。
【００４２】
初期メニューから電話帳削除を選択し、電話帳登録処理プログラム２２１には削除処理のプログラムが含まれており、これを起動させると、表示部１０に電話帳削除のダイアログ画面が表示される。このダイアログ画面の問合せメッセージに従い、電話帳削除操作を行う（ステップＳ３１）。電話帳登録テーブル１６から該当する番号ｎの登録を削除する（ステップＳ３２）。この場合、ｎ番目に登録されている電話帳登録が削除される。
【００４３】
この削除に対応し、隠蔽登録領域２０２の登録情報が削除される（ステップＳ３３）。従って、電話帳から名前が削除されると、その名前の読上げ音声に対応する情報も連動して削除されることになる。この場合、隠蔽登録領域２０２は表示されないので、この隠蔽登録領域２０２から登録情報の削除はできない。
【００４４】
次に、読上げ辞書の登録情報の削除について、図６を参照して説明する。図６は、読上げ辞書の登録情報の削除の処理手順を示すフローチャートである。
【００４５】
初期メニューから読上げ辞書削除を選択し、これを起動させると、表示部１０に読上げ辞書削除に関するダイアログ画面が表示される。このダイアログ画面の問合せメッセージに従い、読上げ辞書削除操作を行う（ステップＳ４１）。即ち、読上げ辞書２０から該当する登録を削除し、この場合、ユーザ登録領域２０１にある情報が削除される（ステップＳ４２）。この場合、０〜９９番に対する登録情報の削除が行われる。隠蔽登録領域２０２の登録情報の削除は単独で行われない。
【００４６】
次に、電話帳登録、読上げ音声文字の登録について、図７及び図８を参照して説明する。図７及び図８は、電話帳登録、読上げ音声文字の登録の処理手順に対応する表示画面の展開を示す図である。
【００４７】
図７に示すように、初期メニューから電話帳登録を選択し、電話帳登録処理プログラム２２１を起動させると、表示部１０には、電話帳登録のダイアログ画面１０１が表示される。このダイアログ画面１０１には、通信先の名前の入力を促すメッセージ２６及び名前の入力欄２８が表示される。メッセージ２６は例えば、
「名前を入力してください」
と表示され、このメッセージ２６に従って入力欄２８に名前を入力する。この場合、入力された「青木」は、名前の一例である。
【００４８】
この名前の入力の後、操作入力部１２の決定キーを押下すると、その入力が決定され、次のダイアログ画面１０２が表示される。このダイアログ画面１０２には、先に入力した名前に対応するフリガナの入力を促すメッセージ３０及びフリガナの入力欄３２が表示される。メッセージ３０は例えば、
「フリガナを入力してください」
と表示され、このメッセージ３０とともに、入力欄３２には「青木」のフリガナ「アオキ」が表示されるので、このダイアログ画面１０２には、メッセージ３０に従って入力欄３２に読上げ音声を表すフリガナを入力する。この場合、入力された「ミッチャン」は、「青木」の愛称の音声を表すフリガナである。
【００４９】
このフリガナ入力の後、操作入力部１２の決定キーを押下すると、その入力が決定され、図８に示すように、次のダイアログ画面１０３が表示される。このダイアログ画面１０３には、先に入力した名前の通信先の電話番号の入力を促すメッセージ３４及び電話番号の入力欄３６が表示される。メッセージ３４は例えば、
「電話番号を入力してください」
と表示され、このメッセージ３４に従って入力欄３６に電話番号を入力する。
【００５０】
この電話番号の入力の後、操作入力部１２の決定キーを押下すると、入力電話番号が確定し、次のダイアログ画面１０４が表示され、このダイアログ画面１０４には、先に入力した名前の通信先のメールアドレスの入力を促すメッセージ３８及びメールアドレスの入力欄４０が表示される。メッセージ３８は例えば、
「メールアドレスを入力してください」
と表示され、このメッセージ３８に従って入力欄４０にメールアドレスを入力する。
【００５１】
これらの入力終了後、操作入力部１２の決定キーを押下すると、入力情報が登録され、通知画面１０５が表示される。この通知画面１０５には、メッセージ４２が表示され、このメッセージ４２は例えば、
「電話帳に登録しました。」
と表示されている。このメッセージ４２の表示が登録の確定を表し、この場合、同時に名前「青木」と、その読上げ音声「ミッチャン」が読上げ辞書２０に登録される。
【００５２】
次に、電子メールの着信処理について、図９及び図１０を参照して説明する。図９は、電子メール着信の処理手順を示す図、図１０は、着信メール及びその読上げ処理を示す図である。
【００５３】
携帯電話機２が通信先からの電子メールを受信すると、図９に示すように、例えば、待受画面から電子メールの受信中を表すメール受信表示画面１０６に移行し、このメール受信表示画面１０６では、メール受信中を表すメッセージ４４が表示される。このメッセージ４４は例えば、「メール受信中」と表示される。電子メールの受信が完了すると、受信結果表示画面１０７に移行し、電子メール及びその件数等の受信結果を表すメッセージ４６が表示される。このメッセージ４６は例えば、「受信結果」とともに、そのメール数である「メール１件」が表示される。この場合、受信したメールの数は１件である。この受信メールは、受信メールフォルダに格納されている。
【００５４】
そこで、受信メールフォルダにある受信メールを指定し、操作入力部１２の決定キーを押下すると、メール表示画面１０８に移行し、このメール表示画面１０８では、その題名表示部４８には受信メールの保存先である受信メールフォルダ名を表す「受信箱」、メッセージ表示部５０には、受信時間、送信者名、題名等が表示されている。この場合、受信時間に「１２：２３」、送信者名に「青木」、題名に「こんにちは」が表示されている。
【００５５】
このようにメール表示画面１０８を表示部１０に展開すると、そのメール表示画面１０８に表示された情報は、読上げには読上げ辞書２０の登録情報が参照され、その読上げ音声出力は、
「イッケンメ
ジュウニジニジュウサンプンニジュシンシタメールデス
ミッチャンカラノメールデス
ダイメイハコンニチハデス」
となる。この場合、送信者名の「青木」は、読上げ辞書２０に「ミッチャン」として登録されているから、「青木」の箇所は「ミッチャン」と読み上げられている。
【００５６】
また、図１０に示すように、メール表示画面１０９に受信メールフォルダからメール本文を表示させる。このメール表示画面１０９には、その題名表示部４８には受信メールフォルダ名「受信箱」、メッセージ表示部５０には、受信時間、送信者名、題名が表示され、受信時間「０６／０１／０２  １２：２３」、送信者名「青木」、題名「こんにちは」が表示される。また、その下欄にあるメール本文表示部５２にはメール本文が展開され、「こんにちは、青木です。お元気ですか？」と表示され、読上げには読上げ辞書２０の登録情報が参照され、その読上げ音声出力は、
「イッケンメ
ニセンロクネンイチガツフツカジュウニジニジュウサンプン
ニジュシンシタメールデス
ミッチャンサンカラノメールデス
ダイメイ  コンニチハ
ホンブン  コンニチハ
ミッチャンデス  オゲンキデスカ」
となる。
【００５７】
この実施の形態から明らかなように、この携帯電話機２では、電話帳情報の登録又はその削除処理の起動に連動し、その登録情報が自動的に読上げ辞書２０の隠蔽登録領域２０２に登録又は削除の処理が実行されるので、表記情報の登録と、読上げ情報の登録の各処理が統合され、ユーザの操作性が向上する。
【００５８】
また、この携帯電話機２では、単語の登録又は削除の処理の起動に連動し、その単語登録に対応する読上げ情報が隠蔽登録領域２０２に登録又は削除の処理が行われるので、同様に、表記情報及び読上げ情報の登録又は削除の処理が統合され、単語登録においても、ユーザの操作性が向上する。また、表記情報の登録と、読上げ情報の登録の整合性が図られるとともに、維持されることになる。また、登録された単語は、ユーザに対して隠蔽される領域、即ち、表示部１０に表示されないので、その登録内容をターゲットとする削除やその処理操作を行えず、電話帳情報と隠蔽された読上げ情報、登録単語とその隠蔽登録情報の同一性が保証され、維持される。
【００５９】
〔第２の実施の形態〕
【００６０】
次に、本発明の第２の実施の形態について、図１１及び図１２を参照して説明する。図１１は、第２の実施の形態に係る携帯電話機を示すブロック図、図１２は、読上げ情報の登録処理プログラムの処理手順を示すフローチャートである。図１１において、図１と同一部分には同一符号を付してある。
【００６１】
この実施の形態においても、図１に示す携帯電話機２と同様の構成であって、記憶部４については、図１１に示すように、読上げ情報の登録の適用除外の表記情報を格納する適用除外登録テーブル５９が設置されている。この適用除外登録テーブル５９には、適用除外の表記情報が存在するか否かを判定し、適用除外に該当する表記情報に対して読上げ情報の登録拒否又は無効な登録とする構成としてもよい。
【００６２】
この場合、読上げ情報の登録処理プログラムを起動し、図１２に示すように、表記情報の入力に対し、適用除外に該当するか否かを判定し（ステップＳ５１）、該当する場合には（ステップＳ５１のＹＥＳ）、読上げ辞書２０の隠蔽登録領域２０２に対する登録拒否又は無効な登録とし（ステップＳ５２）、この処理を終了する。また、適用除外に該当しなければ（ステップＳ５１のＮＯ）、登録処理（ステップＳ５３）を実行し、表記情報に対応した所望の読上げ情報を登録することができる。
【００６３】
この場合、適用除外登録テーブル５９には表記情報だけでなく、読上げ情報を登録し、不適切な読上げ情報の表記情報に対する割当も阻止する構成としてもよい。
【００６４】
斯かる構成とすれば、地名等と同名の場合には、登録情報の読上げに不都合が生じる場合があるので、隠蔽登録領域２０２には登録をしないか又は無効な登録を選択することにより、登録情報の適正化を図ることができる。例えば、ひらがな、アルファベット、カタカナ、地名、メジャーな固有名詞を含む除外用の辞書として既述の適用除外登録テーブル５９を設置すれば、登録時にその情報を参照し、除外か否かを判定することにより、登録情報の適正化が図られる。例えば、電話帳の登録情報に名前として「あ」、フリガナとして「イ」というような登録があっても、隠蔽登録領域２０２には登録しないか無効な登録とすれば、不明確な読上げ情報による音声出力を防止できる。
【００６５】
〔第３の実施の形態〕
【００６６】
第１の実施の形態では、登録辞書テーブル１８を備えた構成について示したが、図１３に示すように、電話帳登録テーブル１６を備え、この電話帳登録テーブル１６に対応する読上げ辞書２０の隠蔽登録領域２０２を備えた構成としてもよい。この場合には、電話帳情報のみに対しての登録情報に関する読上げ情報を登録し、通信相手先の名前を愛称で音声出力することができる。
【００６７】
〔第４の実施の形態〕
【００６８】
本発明の第４の実施の形態について、図１４を参照して説明する。図１４は、携帯電話機の一例を示すブロック図である。図１４において、図１と同一部分には同一符号を付してある。
【００６９】
この携帯電話機２は、読上げ情報登録装置又は携帯端末装置の一例であって、読上げ情報登録方法、そのプログラムの実施の形態の一つである。
【００７０】
この携帯電話機２には、ＣＰＵ６０、無線通信部６２、操作入力部１２、表示部１０、音声処理部１４、記憶部４等が備えられ、これら機能部は、バス６４を以て接続されている。
【００７１】
ＣＰＵ６０は、既述のプロセッサ６（図１）に対応し、記憶部４にあるプログラムの実行により、無線通信部６２、操作入力部１２、表示部１０、音声処理部１４の制御や、記憶部４に対する情報の書込みや読出しを行う。このＣＰＵ６０によって実行される処理には、例えば、表示部１０の表示画面処理、読上げ設定処理、辞書登録処理、読上げ処理等の各種制御が含まれ、電話帳登録テーブル１６と既述の読上げ辞書２０の登録処理が統合されて実行される。
【００７２】
無線通信部６２は、アンテナ６６を備え、ＣＰＵ６０によって制御され、無線信号により基地局と接続されて通信先の携帯電話機との通話や電子メールの送受信を行う。この場合、音声信号やパケットデータ信号を搬送波に重畳させて基地局に送信し、基地局からの無線信号を復調し、音声信号やパケットデータを取り出す。
【００７３】
操作入力部１２は、キーボード等で構成されて情報の入力を行い、記号キー、カーソルキー、決定キー等を備えている。記号キー６８（図１５）は文字等の記号の入力に用いられ、カーソルキー７０は表示部１０の画面に表示されたカーソルの移動等に用いられ、決定キー７２は表示部１０のダイアログ表示画面の入力情報や問い合わせ情報に対する確定や選択等に用いられる。
【００７４】
表示部１０は、ＣＰＵ６０によって制御され、ＬＣＤ等で構成され、入力情報や出力情報等の情報の提示に用いられる。その表示画面には、待受画面やダイアログ表示画面等の各種の画面が表示される。読上げ対象である文書がその表示画面に表示される。
【００７５】
音声処理部１４は、ＣＰＵ６０によって制御され、スピーカ２４、マイクロフォン７４を備え、音声信号をスピーカ２４から音声として再生させ、マイクロフォン７４からの音声を電気信号である音声信号に変換し、ＣＰＵ６０に加える。この場合、既述の読上げ辞書２０の読上げ情報により、記号や文書を読上げ音声として出力する。
【００７６】
そして、記憶部４には、ＲＯＭ８、ＲＡＭ９、不揮発性メモリ７６等の記憶媒体が備えられている。ＲＯＭ８には、電話帳登録処理プログラム２２１、単語登録処理プログラム２２２、読上げ辞書登録処理プログラム２２３、その他のプログラム２２４が登録されている。ＲＡＭ９は、ワークエリアとして用いられる。また、不揮発性メモリ７６は、ＥＥＰＲＯＭ（Electrically Erasable Programmable Read-Only Memory ）等で構成され、電話帳登録テーブル１６、登録辞書テーブル１８等が設定され、登録辞書テーブル１８には、ユーザ登録領域２０１、隠蔽登録領域２０２が設定されている。電話帳登録テーブル１６には、通信先の名前、電話番号、メールアドレス等が格納され、登録辞書テーブル１８のユーザ登録領域２０１には、ユーザが選択した単語等が格納され、隠蔽登録領域２０２は、既述したように（図１）、電話帳登録テーブル１６の表記情報に対応し、その読上げ情報が格納される。
【００７７】
このように構成された携帯電話機２は、図１５に示すように、第１及び第２の筐体部７８、８０をヒンジ部８２を以て連結することにより開閉可能に構成され、筐体部７８には、操作入力部１２の記号キー６８、カーソルキー７０、決定キー７２の他、マイクロフォン７４が内蔵され、また、筐体部８０には、表示部１０やアンテナ６６が設置されているとともに、スピーカ２４が内蔵されている。表示部１０には、ダイアログ表示画面等の各種の画面が表示される。
【００７８】
このような携帯電話機２によっても、第１の実施の形態と同様に、表示情報に対応する読上げ情報の登録又は削除を連動して行うことができ、両者の登録を統合し、整合性を維持することができる。
【００７９】
〔その他の実施の形態〕
【００８０】
(1) 以上説明したように、本発明は、表記情報とその読上げ情報とを連動させて登録するものであるから、上記実施の形態の携帯電話機２に限定されるものではなく、例えば、図１６に示す携帯情報端末機（ＰＤＡ：Personal Digital Assistant）８４や、例えば、図１７に示すパーソナルコンピュータ（ＰＣ）８６に適用しても同様の効果が得られる。図１６及び図１７において、図１と共通部分には共通符号を付し、その説明を省略する。
【００８１】
(2) 上記実施の形態では、表記情報、読上げ情報、適用除外登録情報の格納手段として登録テーブルを例示したが、本発明は、外部記憶装置や着脱可能な記憶媒体に格納する構成としてもよい。
【００８２】
次に、以上述べた本発明の各実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８３】
（付記１）  表記情報に対応する読上げ情報が登録され、前記表記情報の検索に基づき、前記読上げ情報を出力する読上げ情報登録装置であって、
前記表記情報が登録される第１の登録領域と、
前記表記情報に対応する読上げ情報が登録される第２の登録領域と、
前記第１の登録領域に対する前記表記情報の登録に連動させて前記第２の登録領域に対する前記読上げ情報の登録を処理する処理部と、
を備えることを特徴とする読上げ情報登録装置。
【００８４】
（付記２）  付記１記載の読上げ情報登録装置において、
前記第２の登録領域は、前記読上げ情報の表示、変更又は削除することができない隠蔽領域であることを特徴とする読上げ情報登録装置。
【００８５】
（付記３）  付記１記載の読上げ情報登録装置において、
読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とすることを特徴とする読上げ情報登録装置。
【００８６】
（付記４）  付記１記載の読上げ情報登録装置において、
前記第１の登録領域から表記情報の削除に連動し、前記表記情報に対応する読上げ情報が前記第２の登録領域から削除されることを特徴とする読上げ情報登録装置。
【００８７】
（付記５）  表記情報に対応する読上げ情報が登録され、前記表記情報の検索に基づき、前記読上げ情報を出力する読上げ情報登録方法であって、
第１の登録領域に前記表記情報を登録させるステップと、
前記ステップに連動し、前記表記情報に対応する読上げ情報を第２の登録領域に登録させるステップと、
を含むことを特徴とする読上げ情報登録方法。
【００８８】
（付記６）  付記５記載の読上げ情報登録方法において、
登録しようとする表記情報が読上げ情報登録の対象外とする表記情報であるか否かを判定するステップと、
読上げ情報登録の対象外とする表記情報である場合に、前記第２の登録領域に対する読上げ情報の登録を阻止し又は無効な登録とするステップと、
を含むことを特徴とする読上げ情報登録方法。
【００８９】
（付記７）  付記５記載の読上げ情報登録方法において、
前記第１の登録領域から表記情報の削除に連動し、前記表記情報に対応する読上げ情報が前記第２の登録領域から削除されるステップを含むことを特徴とする読上げ情報登録方法。
【００９０】
（付記８）  表記情報に対応する読上げ情報が登録され、前記表記情報の検索に基づき、前記読上げ情報を出力する、コンピュータによって実行される読上げ情報登録プログラムであって、
第１の登録領域に前記表記情報を登録させるステップと、
前記ステップに連動し、前記表記情報に対応する読上げ情報を第２の登録領域に登録させるステップと、
を含むことを特徴とする読上げ情報登録プログラム。
【００９１】
（付記９）  付記８記載の読上げ情報登録プログラムにおいて、
登録しようとする表記情報が読上げ情報登録の対象外とする表記情報であるか否かを判定するステップと、
読上げ情報登録の対象外とする表記情報である場合に、前記第２の登録領域に対する読上げ情報の登録を阻止し又は無効な登録とするステップと、
を含むことを特徴とする読上げ情報登録プログラム。
【００９２】
（付記１０）  付記８記載の読上げ情報登録プログラムにおいて、
前記第１の登録領域から表記情報の削除に連動し、前記表記情報に対応する読上げ情報が前記第２の登録領域から削除されるステップを含むことを特徴とする読上げ情報登録プログラム。
【００９３】
（付記１１）  表記情報に対応する読上げ情報が登録され、前記表記情報の検索に基づき、前記読上げ情報を出力する携帯端末装置であって、
前記表記情報が登録される第１の登録領域と、
前記表記情報に対応する読上げ情報が登録される第２の登録領域と、
前記第１の登録領域に対する前記表記情報の登録に連動させて前記第２の登録領域に対する前記読上げ情報の登録を処理する処理部と、
を備えることを特徴とする携帯端末装置。
【００９４】
（付記１２）  付記１１記載の携帯端末装置において、
前記第２の登録領域は、前記読上げ情報の表示、変更又は削除することができない隠蔽領域であることを特徴とする携帯端末装置。
【００９５】
（付記１３）  付記１１記載の携帯端末装置において、
読上げ情報登録の対象外とする表記情報が登録された第３の登録領域を備え、該第３の登録領域の前記表記情報に該当する場合に、前記第２の登録領域に対する読上げ情報の登録を阻止し又は無効な登録とすることを特徴とする携帯端末装置。
【００９６】
（付記１４）  付記１１記載の携帯端末装置において、
前記読上げ情報は、通話先情報及び／又は言語情報に関する読み音であることを特徴とする携帯端末装置。
【００９７】
（付記１５）  付記１１記載の携帯端末装置において、
前記第１の登録領域から表記情報の削除に連動し、前記表記情報に対応する読上げ情報が前記第２の登録領域から削除されることを特徴とする携帯端末装置。
【００９８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００９９】
本発明は、電子メール等で用いられる文字や文字列等の表記情報に対応する読上げ情報をメモリ辞書に登録し、表記情報と読上げ情報との登録を連動させ、読上げ情報を隠蔽登録領域に保存して外部からの改変や削除を防止したので、表記情報と読上げ情報との整合性や登録の操作性を高めることができ、有用である。
【図面の簡単な説明】
【０１００】
【図１】第１の実施の形態に係る携帯電話機を示すブロック図である。
【図２】電話帳登録の処理手順を示すフローチャートである。
【図３】単語登録及び読上げ辞書登録の処理手順を示すフローチャートである。
【図４】他の単語登録及び読上げ辞書登録の処理手順を示すフローチャートである。
【図５】電話帳の登録情報の削除の処理手順を示すフローチャートである。
【図６】読上げ辞書の登録情報の削除の処理手順を示すフローチャートである。
【図７】電話帳登録、読上げ音声文字の登録の処理手順に対応する表示画面の展開を示す図である。
【図８】電話帳登録、読上げ音声文字の登録の処理手順に対応する表示画面の展開を示す図である。
【図９】電子メール着信の処理手順を示す図である。
【図１０】着信メール及びその読上げ処理を示す図である。
【図１１】第２の実施の形態に係る携帯電話機を示すブロック図である。
【図１２】読上げ情報の登録処理プログラムの処理手順を示すフローチャートである。
【図１３】第３の実施の形態に係る携帯電話機を示すブロック図である。
【図１４】第４の実施の形態に係る携帯電話機を示すブロック図である。
【図１５】携帯電話機を示す図である。
【図１６】その他の実施の形態に係るＰＤＡを示す図である。
【図１７】その他の実施の形態に係るＰＣを示す図である。
【符号の説明】
【０１０１】
２  携帯電話機
６  プロセッサ
１６  電話帳登録テーブル
１８  登録辞書テーブル
２０  読上げ辞書
２０１  ユーザ登録領域
２０２  隠蔽登録領域
５９  適用除外登録テーブル
【図１】
0004749902.tif 000002
【図２】
0004749902.tif 000003
【図３】
0004749902.tif 000004
【図４】
0004749902.tif 000005
【図５】
0004749902.tif 000006
【図６】
0004749902.tif 000007
【図７】
0004749902.tif 000008
【図８】
0004749902.tif 000009
【図９】
0004749902.tif 000010
【図１０】
0004749902.tif 000011
【図１１】
0004749902.tif 000012
【図１２】
0004749902.tif 000013
【図１３】
0004749902.tif 000014
【図１４】
0004749902.tif 000015
【図１５】
0004749902.tif 000016
【図１６】
0004749902.tif 000017
【図１７】
0004749902.tif 000018